(57)【要約】【課題】薄い合成樹脂材を用いて軽量化やコストダウンを図ったとしても変形せずに強度を維持できる収納用トレーを提供する。【解決手段】被収納物を収納する収納凹部３２が形成されている収納用トレー３０において、収納凹部３２の周囲を囲んで収納凹部３２を形成するように上方に突出する山型状の収納凹部形成リブが３３形成され、収納凹部形成リブ３３の外側を囲んで、上方に突出する山型状の補強用リブ３４が形成され、収納凹部形成リブ３３の外側壁３６ａおよび補強用リブ３４の内側壁３９ｂの少なくともいずれか一方の中途部には、収納用トレー３０を積み重ねた際に上段に位置する収納用トレー３０の収納凹部形成リブ３３と補強用リブ３４との間の溝部３７の底面３７ａが当接するように溝部３７内側に突出する当接部４２が形成されている。【選択図】        図１
2007284128.tif 000002
【特許請求の範囲】
【請求項１】
被収納物を収納する収納凹部が形成されている収納用トレーにおいて、
前記収納凹部の周囲を囲んで収納凹部を形成するように上方に突出する山型状の収納凹部形成リブが形成され、
該収納凹部形成リブの外側を囲んで、上方に突出する山型状の補強用リブが形成され、
前記収納凹部形成リブの外側壁および前記補強用リブの内側壁の少なくともいずれか一方の中途部には、収納用トレーを積み重ねた際に上段に位置する収納用トレーの前記収納凹部形成リブと前記補強用リブとの間の溝部の底面が当接するように溝部内側に突出する当接部が形成されていることを特徴とする収納用トレー。
【請求項２】
前記当接部は、下方に向かうにしたがって溝部内側への突出長が徐々に短くなるような逆テーパ状に形成されていることを特徴とする請求項１記載の収納用トレー。
【請求項３】
前記補強用リブの外側壁の下端部には外方に突出する鍔部が形成され、
前記補強用リブの外側壁の中途部には、収納用トレーを積み重ねた際に上段に位置する収納用トレーの鍔部の底面が当接するように外方に向けて突出する第２の当接部が形成されていることを特徴とする請求項１または請求項２記載の収納用トレー。
【請求項４】
前記第２の当接部は、下方に向かうにしたがって外方への突出長が徐々に短くなるような逆テーパ状に形成されていることを特徴とする請求項３記載の収納用トレー。
【発明の詳細な説明】
【技術分野】
【０００１】
本発明は、被収納物を収納する収納凹部が形成された収納用トレーに関する。
【背景技術】
【０００２】
電子部品等を保管・運送する際には、電子部品等の被収納物を収納可能となるように複数の収納凹部が形成された収納用トレーが用いられる。かかる収納用トレーとしては、ポリプロピレン、ポリスチレン、ＰＥＴ等の平板状の合成樹脂を真空成形することによって形成されることが一般的である。
【０００３】
従来の一般的な収納用トレーを図７および図８に示す。
この収納用トレー１０は、１つのトレーで複数個の被収納物を収納できるように、被収納物の大きさに凹んで形成された収納凹部１２が複数の区画に設けられている。収納凹部１２は、合成樹脂材が上方に突出するように形成されてなるリブ１３に周囲を囲まれて形成されている。
また、収納用トレー１０の最外周に位置する各リブ１３の下端部には、外方に向けて突出する鍔部１４が形成されている。
【０００４】
一般的にこのような収納用トレーは、複数枚積み重ねられて保管されたりあるいは運送されている。
積み重ねの際には、積み重ねた際の上段に位置する収納用トレーのリブ１３の底面１３ａを下段に位置するリブ１３の上面１３ｂに当接させるようにして、リブ１３の没入を防止するようにしている（例えば、特許文献１参照）。
リブ１３の没入を防止することにより、被収納物の確実な保護を確保することができる。
【０００５】
【特許文献１】特開平１０−２７３４１５号公報
【発明の開示】
【発明が解決しようとする課題】
【０００６】
被収納物を収納し、複数の収納用トレーを上下方向に複数積み重ねた場合に、収納凹部に重量がかかりすぎてしまうとリブが広がって鍔部が上向きに反ってしまう変形（図８のＡ部分）が生じるおそれがある。このような変形によって、上段に位置するリブの底面が下段に位置するリブの上面からずれるので、リブが没入してしまい、被収納物の確実な保護が行えなくなるという課題があった。
【０００７】
また、近年は、軽量化の要求やコストダウンの要求により、合成樹脂材をさらに薄くすべく開発が進められているが、合成樹脂材を薄くすると強度が弱くなってしまい、収納用トレーの変形が起こりやすい状況にあるので、さらに強度を維持する構造が望まれている。
【０００８】
したがって、本発明は上記課題を解決すべくなされ、その目的とするところは、薄い合成樹脂材を用いて軽量化やコストダウンを図ったとしても変形せずに強度を維持できる収納用トレーを提供することにある。
【課題を解決するための手段】
【０００９】
本発明にかかる収納用トレーによれば、被収納物を収納する収納凹部が形成されている収納用トレーにおいて、前記収納凹部の周囲を囲んで収納凹部を形成するように上方に突出する山型状の収納凹部形成リブが形成され、該収納凹部形成リブの外側を囲んで、上方に突出する山型状の補強用リブが形成され、前記収納凹部形成リブの外側壁および前記補強用リブの内側壁の少なくともいずれか一方の中途部には、収納用トレーを積み重ねた際に上段に位置する収納用トレーの前記収納凹部形成リブと前記補強用リブとの間の溝部の底面が当接するように溝部内側に突出する当接部が形成されていることを特徴としている。
この構成を採用することによって、収納用トレーを積み重ねると、溝部の底面が当接部の上面に当接するので、収納凹部形成リブの没入を防止することができる。なお、このような当接部を収納凹部形成リブと補強用リブとの間の溝部内に形成することによる作用は以下の通りである。
当接部を、収納用トレーの外縁に形成されている補強用リブの外側面に形成したとしても、補強用リブが外方に向かって広がりやすいので、当接部に補強用リブの底面が当接せずに補強用リブが没入してしまうおそれがある。しかし、溝部は補強用リブと収納凹部形成リブとの間に形成されるものであるから、強度が高く、広がる恐れが少ない。特に収納用トレーを複数枚積み重ねると、上段に位置する溝部の外壁面が下段に位置する溝部の内壁面に当接するようにはめ込まれるので、下段に位置する溝部が上段に位置する溝部の広がろうとする力を抑えることができる。このように、広がりにくい溝部内に当接部が形成されていることにより、溝部の底面が溝部内の当接部に確実に当接し、収納凹部形成リブの没入を防止することができるのである。また、収納用トレーの外周側から外力が加わった場合には、溝部で外力を吸収することができるので、被収納物に外力の影響を及ぼすことを防止することができる。
【００１０】
また、前記当接部は、下方に向かうにしたがって溝部内側への突出長が徐々に短くなるような逆テーパ状に形成されていることを特徴としてもよい。
【００１１】
さらに、前記補強用リブの外壁の下端部には外方に突出する鍔部が形成され、前記補強用リブの外側壁には、積み重ねた際に上段に位置する鍔部の底面が当接するように外方に向けて突出する第２の当接部が形成されていることを特徴としてもよい。
当接部に加えて第２の当接部を形成することによって、補強用リブの没入を確実に防止することができる。
【００１２】
前記第２の当接部は、下方に向かうにしたがって外方への突出長が徐々に短くなるような逆テーパ状に形成されていることを特徴としてもよい。
【発明の効果】
【００１３】
本発明の収納用トレーによれば、積み重ねた際のリブの没入を防止することができ、また外力の影響を小さくすることができるので、結果として被収納物の破損等を防止することができる。
【発明を実施するための最良の形態】
【００１４】
以下、本発明の好適な実施の形態を添付図面に基づいて詳細に説明する。
図１は収納用トレーの斜視図、図２は収納用トレーの平面図である。図３は収納用トレーを積み重ねた場合の図２のＢ−Ｂ部分の断面図である。
収納用トレー３０は、ポリプロピレン、ポリスチレン、ＰＥＴ等の平板状の合成樹脂材を真空成形加工して凹凸を設けて形成されたものであり、電子部品等の被収納物（図示せず）を収納するための凹みである収納凹部３２が形成されている。
収納用トレー３０は、被収納物を収納凹部３２に収納した後、複数枚積み重ねられて使用され、この積み重ねた状態で被収納物の保管または運送等がされる。
【００１５】
収納用トレー３０は、複数の被収納物を収納可能なように、複数の収納凹部３２がその周囲を上方に突出する山型状の収納凹部形成リブ３３によって囲まれて形成されている。各収納凹部３２の形状は、被収納物の形状によって様々な形状を取りうるが、本実施形態では平面視長方形状の単純なものを例として図示している。
【００１６】
収納凹部形成リブ３３は、全体として山型状に形成されており、上方に向けて立ち上げられて成る２枚の側壁３６ａ，３６ｂと、両側壁の上端部を連結するように形成された上面部３８とを有している。２枚の側壁３６ａ，３６ｂは、外方側に位置して上方に立ち上がっている外側壁３６ａと、内方側で上方に立ち上がっている内側壁３６ｂの２枚である。なお、本実施形態では、内側壁３６ｂが収納凹部３２の内壁面を形成している。
なお、隣接する収納凹部３２の間は、山型状に形成されて上方に向けて立ち上げられて成る仕切りリブ３１によって仕切られる。仕切りリブ３１も収納凹部３２を形成するが、ここでいう収納凹部形成リブ３３とは、収納用トレー３０内で複数の収納凹部３２の外縁を形成する長方形状のものとする。
【００１７】
収納凹部形成リブ３３の外周は、補強用リブ３４によって囲まれている。補強用リブ３４は、収納用トレー３０の外縁に形成されており、上方に突出する山型状である。補強用リブ３４は、収納用トレー３０の外縁に形成されているので、収納用トレー３０の平面形状とほぼ同一の形状を有し、同心状である。したがって、本実施形態の収納用トレー３０は、平面視ほぼ長方形なので、補強用リブ３４も平面視ほぼ長方形となるように形成されている。
【００１８】
補強用リブ３４は、全体として山型状に形成されており、上方に向けて立ち上げられて成る２枚の側壁３９ａ，３９ｂと、両側壁の上端部を連結するように形成された上面部４０とを有している。２枚の側壁３９ａ，３９ｂは、外方側に位置して上方に立ち上がっている外側壁３９ａと、内方側で上方に立ち上がっている内側壁３９ｂの２枚である。補強用リブ３４の外側壁３９ａが収納用トレー３０全体の外側壁となっている。
補強用リブ３４の下端部には、外方に向けて突出する鍔部４１が形成されている。
【００１９】
収納凹部形成リブ３３と補強用リブ３４の間は溝部３７が形成されるので、溝部３７の内壁面のうち内側の内壁面は収納凹部形成リブ３３の外側壁３６ａであり、溝部３７の内壁面のうち外側の内壁面は補強用リブ３４の内側壁３９ｂである。収納凹部形成リブ３３も補強用リブ３４もどちらも上方に向けて徐々に幅が狭くなるような山型に形成されているので、溝部３７は上方に向けて徐々に幅が広がるような谷型に形成される。
【００２０】
溝部３７の内壁面には、溝部３７内に突出する当接部４２が形成されている。当接部４２は、下方に向かうにしたがって徐々に溝部３７内へ突出する突出長が短くなるような逆テーパ状に形成されている。
当接部４２は、収納用トレー３０を積み重ねた際に、上段の溝部３７の底面３７ａが溝部３７内部において当接する部位である。このように、収納用トレー３０を積み重ねた際に上段の溝部３７の底面３７ａが下段の溝部３７内の当接部４２に当接することで、上段の溝部３７が下段の溝部３７内に入り込み過ぎることを防止し、収納凹部形成リブ３３の没入を防止できる。
【００２１】
また、収納用トレー３０を積み重ねた際には、上段の溝部３７の外壁面が下段の溝部３７の内壁面に当接するように設けられている。このように、収納用トレー３０を積み重ねた際に、上段の溝部３７の外壁面と下段の溝部３７の内壁面同士が当接することによって、溝部３７におけるがたつきを防止するとともに、上段に位置する溝部３７が広がろうとする力を受けたとしても、下段の溝部３７が上段の溝部３７の外壁面に当接して上段の溝部３７の広がりを防止する。このように、収納用トレー３０を積み重ねることで、溝部３７は広がらないように保持されるため、溝部３７内に形成した当接部４２と当接部４２の上面に位置する上段の溝部３７の底面３７ａがずれないようにすることができ、積み重ねた際の収納凹部形成リブ３３の没入防止を図れる。
【００２２】
なお、本実施形態では、当接部４２を、溝部３７の内壁面のうち内側の内壁面、つまり収納凹部形成リブ３３の外側壁３６ａに形成しているものについて図示しているが、これに限定することはない。
したがって、当接部４２を、溝部３７の内壁面のうち外側の内壁面、つまり補強用リブ３４の内側壁３９ｂに形成してもよい。
さらに、当接部４２を溝部３７の内壁面のうち外側および内側の内壁面の双方に形成してもよい。
【００２３】
次に、図４〜図６に示すような他の実施形態について説明する。
なお、上述した実施形態と同一の構成要素については同一の符号を付し、説明を省略する場合もある。
本実施形態は、溝部３７内の当接部４２に加えて補強用リブ３４の外側壁３９ａにも当接部４４（特許請求の範囲でいう第２の当接部）を形成したものである。当接部４４は外側壁３９ａの壁面から外方に向けて突出して形成されている。
【００２４】
補強用リブ３４の外側壁３９ａに形成される当接部４４は、収納用トレー３０を積み重ねた際に、上段の鍔部４１の底面４１ａが当接する部位である。当接部４４は、下方に向かうにしたがって徐々に外方へ突出する突出長が短くなるような逆テーパ状に形成されている。
このように、収納用トレー３０を積み重ねた際に上段の鍔部４１の底面４１ａが下段の補強用リブ３４の外側壁３９ａの当接部４４に当接することで、補強用リブ３４の没入を防止できる。
【００２５】
以上本発明につき好適な実施形態を挙げて種々説明したが、本発明はこの実施形態に限定されるものではなく、発明の精神を逸脱しない範囲内で多くの改変を施し得るのはもちろんである。
【図面の簡単な説明】
【００２６】
【図１】本発明の収納用トレーの斜視図である。
【図２】収納用トレーの平面図である。
【図３】収納用トレーを積み重ねた場合の断面形状を示す図２のＢ−Ｂ断面図である。
【図４】収納用トレーの他の実施形態を示す斜視図である。
【図５】他の実施形態の平面図である。
【図６】他の実施形態の収納用トレーを積み重ねた場合の断面形状を示す図５のＣ−Ｃ断面図である。
【図７】従来の収納用トレーの平面図である。
【図８】従来の収納用トレーを積み重ねた場合の断面図である。
【符号の説明】
【００２７】
３０   収納用トレー
３１   仕切りリブ
３２   収納凹部
３３   収納凹部形成リブ
３４   補強用リブ
３６ａ  収納凹部の外側壁
３６ｂ  収納凹部の内側壁
３７   溝部
３７ａ  溝部の底面
３８   収納凹部形成リブの上面部
３９ａ  補強用リブの外側壁
３９ｂ  補強用リブの内側壁
４０   補強用リブの上面部
４１   鍔部
４１ａ  鍔部の底面
４２，４４   当接部
【図１】
2007284128.tif 000003
【図２】
2007284128.tif 000004
【図３】
2007284128.tif 000005
【図４】
2007284128.tif 000006
【図５】
2007284128.tif 000007
【図６】
2007284128.tif 000008
【図７】
2007284128.tif 000009
【図８】
2007284128.tif 000010